(57)【要約】      （修正有）【課題】コンパクトで設置占有面積を小さくして、使用時の形体に変形することで収納容積が増え、変形操作が簡単なゴミステーション用の集荷体を提供する。【解決手段】本体は錐体型で横から見ると三角の形で、下が大きく上は鋭角で網や備品などが錐体形の中に収まり強風にも転倒しずらい安定感のある形、設置専有面積が小さく使用時は側壁を放射状に開くと上部に広い空間ができ、この中に多くのゴミ袋を積上げる事が出来、収納されている網を併用することで、からすや動物による散乱を防ぐ、床があるので地面を汚すことはなく周辺を清潔に保つことができる。【選択図】図７
0003169328.tif 000002
【実用新案登録請求の範囲】
【請求項１】
多角形の底板の各辺にヒンジ結合される三角形の側壁を設け、該底板の中心に垂設する支柱にリングを通し該側壁の各頂点と該リングをヒモで連結し三角形の前記側壁の各頂点同士をヒモで連結して、前記側壁の辺間に網を設けて成る、畳んだ時に錐体形と成るゴミステーション。
【考案の詳細な説明】
【技術分野】
【０００１】本考案は、錐体形の箱で底面を床に置き側面を放射状に開いた中にゴミを入れる方式で、頂点部分を広げる事で収集容積が増え使用操作が簡単な錐体型の形をしたゴミステーションに関する。
【背景技術】
【０００２】従来よりある小屋型設置式ゴミステーションは長方形の箱形をしていて広い設置専有面積が必要になる形式や、これらを折畳み方式にしたものがある、【０００３】ゴミ袋を地面に直接積上げ、上から網（ネット）を掛けたり、その周りを側板で囲む方法がある、
【先行技術文献】
【特許文献】
【０００４】
【特許文献１】特開２００４ー０９１２０２
【特許文献２】実用新案登録第３０９０６２５号
【特許文献３】特開平８ー５８９１３
【考案の概要】
【考案が解決しようとする課題】
【０００５】従来よりある小屋型設置式ゴミステーションは広い設置専有面積が必要で見た目の存在感が大きくデザイン的にも劣り町内の美観を損なう、これを折畳み方式などにしたものは簡単とはいっても女性や子供にはむずかしく本体を構成する部材に重量があり容易でない、ゴミ袋を直接地面に置く方法では、かたずけた後に地面又は周辺の汚れが目立ち見苦しいものである、これら本体の部品や網などが外に露出しているので乱れやすく雨や雪や紫外線にさらされるので傷みやすい。【０００６】本考案はこのような従来の課題を解決するためコンパクトで設置専有面積を小さくして、使用時の形体に変形することで収納容積が増え、変形操作が簡単なゴミステーション用の集荷体を提供することを目的としたものである。
【課題を解決するための手段】
【０００７】本考案は錐体の一種である円錐や角錐を板状の物で形成し底板の多角形の各辺と接する三角形の側壁底辺をヒンジで結合、その底板の中心に支柱を垂設し上からリングを通して側壁の頂点とリングをひもで連結し放射状に外側に開き一定の傾きで止めると側壁辺間に三角形の空間が出来る、ここにひもと網を設けて出来た物体を中心に畳むと錐体形と成るゴミステーションを考案したもので、四角錐、五角錐その他の角錐や円錐でも製作可能である。【０００８】このように底板の小さな設置専有面積で頂点の上方部を開くと大きくなる為、見た目の外観より、ゴミ袋がたくさん収納でき、畳むと錐体の造形を成すゴミステーション。【０００９】また、不使用時には三角形の側壁内部に備品が収まり雨や雪、紫外線から守られ網などの傷みが緩和される。
【図面の簡単な説明】
【００１０】
【図１】本考案の実施携帯を示す最小頂点数の三角錐型ゴミステーションの投影図
【図２】支柱管と側壁を鎖で連結し側壁を放射状に開いた様子の立面図
【図３】図２で開いた側壁間の空間に鎖を連結し網を設けた状態の側面図
【図４】ゴミ袋の上に被せる網
【図５】図３の網を省いた状態を上から見た平面図
【図６】収納時の姿で網が内部に収まるっている投影側面図
【図７】図６の側壁を開きゴミ袋を入れた使用時の側面図
【図８】円錐を平面で切断した様子の投影立面図
【図９】底面の中心に支柱を垂設した投影側面図
【図１０】支柱管と円錐の側壁を鎖で連結して側壁の傾きを止めた様子の立面図
【図１１】側壁を畳み円錐形を形成し内部で鎖が垂れている様子の投影立面図
【考案を実施するための形態】
【００１１】以下、本考案の実施の形態を図１〜図１１に基ずいて説明する。
【００１２】図１は最小の頂点数で構成する三角錐の箱で、これお形成する素材は木材、プラスチック金属など一般に市販されている板状の物を使用、コンパネなどの規格寸法内で製作するとコストを低く設定出きる、この条件で製作すると約巾１ｍ高さ０．９ｍの三角錐が形成できるが錐体の種類、利用場所、用途、で大きさは変わる、この底板の中心に支柱管を垂直に設け高さを錐体内部に収めるように設定した投影立面図。
【００１３】図２は図１の底板の下に補強の為枠を設置しその底板各辺と側壁の底辺をヒンジで結合し中心に立てた支柱管にリングを通しこれと側壁の頂点をヒモ（鎖）で連結して側壁の傾きを調整して開いている様子と支柱管に上から掲示板の設けたパイプを差し込んだ状態の立面図。
【００１４】図３は図２で開いた側壁間に出来た三角形の空間部分にヒモ（鎖）を辺間に数ヶ所連結し三角形のシート状の物（網）設け、図４の網とセンターキヤップを支柱に通してその網を様子がわかるように空中に浮かせた状態の側面図。
【００１５】図４は錐体型ゴミステーションにゴミを入れた上に被せる網で、中心にリング、縁周りには重りになる鎖を設けた平面図。
【００１６】図５は図３で出来上がった状態から網を除去した姿を上から見た平面図
【００１７】図６は図４の網を中心に集め側壁を畳み込んで角錐を形成し風による無意味な側壁の開き押さえる為、角錐の頂点にセンターキャップを支柱管を通して上から被せた様子と床の枠下部分にキャスターを付けその下にＬ型金物のストッパを設けた姿の投影側面図。
【００１８】図７は完成された三角錐型ゴミステーションの側壁を外側に開きゴミ袋を中に積上げ上から図４の網を被せた姿の側面図。
【００１９】図８は底面の外接円と接する多角形の辺と円錐の頂点を通る平面で切断した様子を表した投影立面図。
【００２０】図９は円錐型ゴミステーションの基本的な構造で底面の三角形の外接円に合致する円錐を乗せ底板の中心に円錐の内部に収まる高さの支柱を立てた投影立面図。
【００２１】図１０は図９の円錐の外接円と接する三角形の辺と円錐の頂点を平面で切断した半円の切断底辺と底板の三角形の各辺とヒンジで結合し切断面が三角形で曲面している半円錐形の側壁の頂点と支柱管に通したリングとひもで連結して放射状に開いた様子の立面図。
【００２２】図１１は図１０の半円錐形の側壁を中心側に畳んで円錐の形を形成し、ひもが内部で垂れている状態の投影立面図。
【符号の説明】
【００２３】  １  底板（床面）
２  底板を支える枠
３  支柱管
４  側壁（側面）
５  ヒンジ
６  鎖（支柱管と側壁の連結用）
７  鎖（側壁間の連結用）
８  センターキャップ
９  網（側壁間に設置）
１０  網（上部から掛ける）
１１  リング（支柱管に通す）
１２  キャスター
１３  掲示板
１４  ゴミ袋
１５  掲示板取付け用パイプ
１６  キャスター用ストーパＬ型金物
１７  リング（１０の網に使用する）
１８  鎖（１０の網の縁に使用する）
【図１】
0003169328.tif 000003
【図２】
0003169328.tif 000004
【図３】
0003169328.tif 000005
【図４】
0003169328.tif 000006
【図５】
0003169328.tif 000007
【図６】
0003169328.tif 000008
【図７】
0003169328.tif 000009
【図８】
0003169328.tif 000010
【図９】
0003169328.tif 000011
【図１０】
0003169328.tif 000012
【図１１】
0003169328.tif 000013